(57)【要約】【課題】  ガラスホルダクリップを容易に分解可能であり、吊り下げ位置でこのクリップがフレームのバーを中心として自由に回転しないようにした、特に光学ガラス（４、４’）又は他の基板の処理用のガラスホルダ装置を提案する。【解決手段】  装置は、ガラスホルダクリップ（２）を支持する少なくとも一つの円筒形の水平バー（１）を含むフレームからなり、該ガラスホルダクリップ（２）が、規則正しい間隔をあけた切り欠き（１０）で前記クリップを前記バーに一列で着脱式に結合可能にする連結手段（２１、２２、２５）と、前記バー（１）を中心として前記クリップ（２）が自由に回転しないようにするロック手段（２３、２４、２５）とを一端に備えた、クリップ（２）の本体をなす中央ロッド（２０）と、前記クリップ（２）の所定の位置にガラスを保持する保持手段（３）とから構成され、前記ガラス（４、４’）が、中央ロッド（２０）の軸に略平行に保持される。【選択図】  図１
2004196648.tif 000002
【特許請求の範囲】
【請求項１】
特に光学ガラス（４、４’）又は他の基板を処理するためのガラスホルダ装置であって、ガラスホルダクリップ（２）を支持する少なくとも一つの円筒形の水平バー（１）を含むフレームからなり、前記ガラスホルダクリップ（２）が、規則正しい間隔をおいた切り欠き（１０）で前記クリップを前記バーに一列で着脱式に結合可能にする連結手段（２１、２２、２５）と、前記バー（１）を中心として前記クリップ（２）が自由に回転しないようにするロック手段（２３、２４、２５）とを一端に備えた、クリップ（２）の本体をなす中央ロッド（２０）と、前記クリップ（２）の所定の位置にガラスを保持する保持手段（３）とから構成され、前記ガラス（４、４’）が、中央ロッド（２０）の軸にほぼ平行に保持されることを特徴とするガラスホルダ装置。
【請求項２】
中央ロッド（２０）が、一端でたわめられてフックを形成し、バー（１）に設けられた切り欠き（１０）にフックでクリップを係止することによりバー（１）にクリップを吊り下げ可能であることを特徴とする請求項１に記載のガラスホルダ装置。
【請求項３】
フック（２１）が、Ｕ字形にたわめられてＵ字の２個の分枝（２３、２４）により画定される空間（２２）を形成し、前記空間が、バー（１）を収容するように構成され、前記バーが、２個の分枝（２３、２４）により締め付けられ、一方の分枝が、切り欠き（１０）に係合し、切り欠きの底（１１）が直線状であることにより、前記分枝（２３、２４）との接触によってクリップ（２）がバー（１）を中心として自由に回転しないようにすることを特徴とする請求項２に記載のガラスホルダ装置。
【請求項４】
クリップ（２）に光学ガラスを保持する保持手段（３）が、中央ロッド（２０）に結合されるリベット（３２）を中心として取り付けられる２個のレバーアーム（３１、３１’）から構成され、前記レバーアームが、ガラスの周辺縁（４０、４０’）を挟むことによりアームの自由端の間でガラスを把持して締め付けるように互いに弾性的に戻され、前記ガラスが、クリップの中央ロッドから垂直に延びるストッパ（３６）で保持されることを特徴とする請求項１から３のいずれか一項に記載のガラスホルダ装置。
【請求項５】
レバーアーム（３１、３１’）が、その自由端にブレード形の接触部品（３３、３３’）を備えており、ガラス（４、４’）の周辺縁（４０、４０’）に接触するように構成された縁に、２個の尖端（３５、３５’）により画定された、丸みを帯びた湾曲切り込み（３４、３４’）を含むことを特徴とする請求項４に記載のガラスホルダ装置。
【請求項６】
レバーアーム（３１、３１’）が、折り曲げた金属ロッドから一体成形部品として構成されることを特徴とするガラスホルダ装置。
【発明の詳細な説明】
【技術分野】
【０００１】
本発明は、特に光学ガラス又は他の基板を処理するためのガラスホルダ装置を目的とする。
【背景技術】
【０００２】
光学ガラス処理の分野では、光学ガラスに、ガラスホルダ装置を用いて様々な洗浄処理及び／又は液体溶剤の塗布処理が行われる。前記ガラスホルダ装置は、少なくとも一つの水平バーと、前記バーに一列に吊り下げられる金属のガラスホルダクリップとを備えたフレームから構成される。クリップは、溶接によりバーにしっかりと結合され、特に装置の搬送時又は処理作業時にクリップが落ちないようにされる。各クリップは、クリップ本体をなす金属ロッドの軸にほぼ平行な位置で、２個のレバーアームにより前記クリップに保持される光学ガラスを支持し、レバーアームは、互いに弾性的に戻されて、ガラスの周辺縁と、前記ガラスが保持されるストッパとを挟むことにより、アームの２個の自由端の間で前記ガラスを把持して締め付ける。
【０００３】
光学ガラスの制御操作は、ガラスホルダクリップから指で前記ガラスを直接取り出すことにより行われるため、前記ガラスに傷がついたり、あるいは指の跡が残ったりし、指の跡は、特に重合時にガラスに付着してしまう。
【０００４】
さらに、現在のガラスホルダ装置は、一体構造で構成されるために外径寸法が大きく、小型容積で保管することができない。しかも、現在のガラスホルダクリップは、様々なサイズの光学ガラス、特に厚いガラスや非常に薄いガラスを収容するように構成されていない。
【０００５】
【特許文献１】特開２００１−０２９９０４
【発明の開示】
【発明が解決しようとする課題】
【０００６】
本発明の目的は、ガラスホルダクリップを容易に分解でき、吊り下げ位置でこのクリップがフレームのバーを中心として自由に回転しない汎用ガラスホルダ装置を提案することにより、上記の不都合を解消することにある。
【課題を解決するための手段】
【０００７】
本発明によるガラスホルダ装置は、特に、光学ガラス又は他の基板を処理するように構成され、ガラスホルダクリップを支持する少なくとも一つの円筒形の水平バーを含むフレームからなり、ガラスホルダクリップが、規則正しい間隔をあけた箇所で前記クリップを前記バーに一列で着脱式に結合可能にする連結手段と、前記バーを中心として前記クリップが自由に回転しないようにするロック手段とを一端に備えた、クリップの本体をなす中央ロッドと、前記クリップの所定の位置にガラスを保持する保持手段とから構成され、前記ガラスが、中央ロッドの軸にほぼ平行に保持されることを主に特徴とする。
【０００８】
クリップの中央ロッドが、一端でたわめられてフックを形成し、フレームのバーに設けられた切り欠きにフックでクリップを係止することにより前記バーにクリップを吊り下げることができる。フックは、Ｕ字形にたわめられて２個の分枝により画定される空間を形成し、この空間が、バーを収容するように構成され、前記バーが、２個の分枝により締め付けられ、前記分枝の一方が、切り欠きに係合し、切り欠きの底が直線状であることにより、前記分枝との接触によってクリップがバーを中心として自由に回転しないようにする。
【０００９】
クリップに光学ガラスを保持する保持手段が、中央ロッドに結合される共通回転軸を中心として取り付けられる２個のレバーアームから構成され、前記レバーアームが、ガラスの周辺縁を挟むことによりアームの自由端の間でガラスを把持して締め付けるように互いに弾性的に戻され、前記ガラスが、クリップの中央ロッドから垂直に延びるストッパで保持される。
【００１０】
好適な実施形態では、レバーアームが、それらの自由端にブレード形の接触部品を備えており、ガラスの周辺縁に接触するように構成された縁に、２個の尖端により画定された、丸みを帯びた湾曲切り込みを含む。好適には、レバーアームが、折り曲げた金属ロッドから一体成形部品として構成される。
本発明の長所及び特徴は、本発明の限定的ではない実施形態を示す、添付図面に関してなされた以下の説明から一層明らかになるであろう。
【発明を実施するための最良の形態】
【００１１】
図１を参照すると、本発明によるガラスホルダ装置が、ガラスホルダクリップ２を支持する少なくとも一つのバー１を含む、金属フレーム（図示せず）に取り付けられた円筒形のバー１から構成され、ガラスホルダクリップ２が、規則正しい間隔でバー１に設けられた切り欠き１０が示す箇所に結合されていることが分かる。
【００１２】
ガラスホルダクリップ２は、光学ガラス４、４’（図２）又は他の基板をそれぞれ支持し、損傷を与えずに様々な洗浄処理又は液体溶剤の塗布処理を行うように構成されている。
【００１３】
ガラスホルダクリップ２は、クリップ本体をなしながら一端でたわめられてＵ字形のフック２１を形成し、切り欠き１０にフック２１でクリップを係止することによりバー１にクリップを吊り下げ可能な中央ロッド２０と、図２に示すように、周辺縁を挟むことによりロッド２０の軸にほぼ平行にクリップでガラスを保持可能にするガラス４、４’の把持・締め付け手段３とから構成される。
【００１４】
Ｕ字形の分枝２３、２４の間に形成される空間２２は、分枝２３、２４の一部の間で締め付けられるバー１を収容するように構成され、一方の分枝２３は、底１１が同様に直線状である切り欠き１０に係合される。一方の分枝の直線状の面と切り欠きの底の直線状の面との二つの面が接触すると、中央ロッド２０がバー２を中心として自由に回転せず、また特に基板の搬送時又は処理ラインで基板が位置を変える時に落ちないようにする効果がある。
【００１５】
Ｕ字形の分枝２３、２４の間でバー１を収容する空間２２の深さは、Ｕ字形の内側分枝２４に設けられたストッパ２５により画定される。
【００１６】
かくして、ガラスホルダクリップ２は、フック２１を切り欠き１０に係止するだけでバー１に容易に組立可能であり、あるいはバー１から分解可能であり、その場合、フレームの対応するクリップ２を取り出すことによって指で直接触らずに光学ガラスの検査を行える。
【００１７】
また、図２では、光学ガラスの把持手段３が薄い厚さの金属ロッド３０から構成されていることが分かる。金属ロッド３０は、その中央で折り曲げられて２個のレバーアーム３１、３１’を形成し、折り目の位置でリベット３２によりクリップ２のロッド２０に結合される。２個のレバーアーム３１、３１’は互いに弾性的に戻されるので、図２から分かるように、接触部品３３、３３’を介してアーム３１、３１’の２個の自由端３２、３２’の間で光学ガラス４、４’を挟むことができる。
【００１８】
接触部品３３、３３’は、ブレード形の金属部品であり、光学ガラス４、４’と接するように構成された端に、様々な厚さの光学ガラス４、４’を保持可能にする湾曲切り込み３４、３４’を含む。
【００１９】
湾曲切り込み３４、３４’は、それぞれ２個の尖端３５、３５’を備え、尖端３５、３５’の間にガラス４の周辺縁４０を配置することによって厚みのある光学ガラス４’を保持可能になり、そのため、特に塗料又は他の液体を塗布後、接触面の減少による劣化を防ぐことができる。
【００２０】
薄い厚さの光学ガラス４’は、各切り込み３４、３４’の２個の各尖端３５、３５’の間に周辺縁４０’を配置することによって保持される。
【００２１】
このように得られるクリップは、現在のクリップとは違って、含侵後、液体又は塗料を著しく消費しないようにすることができる。さらに、本発明によるガラスホルダ装置は、クリップを簡単に分解可能であり、フレームのバーに一端吊り下げるとクリップを固定位置に保持し、クリップが反転する場合でも、クリップとガラスとが落ちずに所定の位置に留まる。
【図面の簡単な説明】
【００２２】
【図１】本発明によるガラスホルダ装置の支持体の軸の部分斜視図である。
【図２】光学ガラスを支持するガラスホルダクリップの側面図である。
【符号の説明】
【００２３】
１・・・・・バー
２・・・・・ガラスホルダクリップ
３・・・・・把持・締め付け手段
４・・・・・光学ガラス
４’・・・・光学ガラス
１０・・・・切り欠き
１１・・・・底
２０・・・・ロッド
２１・・・・フック
２２・・・・空間
２３・・・・分枝
２４・・・・分枝
２５・・・・ストッパ
３０・・・・金属ロッド
３１・・・・レバーアーム
３１’・・・レバーアーム
３２・・・・リベット
３３・・・・接触部品
３３’・・・接触部品
３５・・・・尖端
３５’・・・尖端
３６・・・・ストッパ
４０・・・・光学ガラス
４０’・・・光学ガラス
【図１】
2004196648.tif 000003
【図２】
2004196648.tif 000004